【事件の表示】
　平成　８年特許願第２８２３８５号「情報機器」拒絶査定不服審判事件〔平成１０年　５月１５日出願公開、特開平１０−１２４１７４〕について、次のとおり審決する。
【結　論】
　本件審判の請求は、成り立たない。
【理　由】
Ｉ．手続きの経緯
　本願は、平成８年１０月２４日の出願であって、平成１５年１０月１７日付けで手続補正書が提出され、平成１７年６月１０日付けの拒絶の理由の通知に対して、同年８月１５日付けで意見書及び手続補正書が提出されたが、平成１７年９月２日付けで拒絶の査定を受けたものであり、この査定を不服として、同年１０月６日に拒絶査定不服審判の請求がなされるとともに、同年１１月７日付けで手続補正がなされたものである。
　
ＩＩ．平成１７年１１月７日付けの手続補正について
［結論］平成１７年１１月７日付けの手続補正（以下、「本件補正」という。）を却下する。
　その理由は以下のとおり。
　
［理由］
（１）補正後の本願発明
　本件補正により、特許請求の範囲の請求項１は、
　
「【請求項１】　情報機器の本体内部に少なくともメインボードと、電源ボードと、バッテリと、ハードディスクドライブとを具備し、かつ、前記メインボードの上部に位置するキーボードモジュールと、該キーボードモジュール外に位置するパームレスト部を有し、
　前記メインボードと、前記電源ボードと、前記バッテリと、前記ハードディスクドライブを平面的に重ならないように配置し、かつ、前記バッテリ及び前記ハードディスクドライブを該キーボードモジュールの下部には配置せず、これらを前記パームレスト部の下部に配置し、
　前記メインボードは、
　
前記キーボードモジュールと
及び前記パームレスト部の下部に位置し前記キーボードモジュールと重なっていない部分からなり、その重なっていない
　
　と補正された。（なお、アンダーラインは、補正箇所を示すために付したものである。）
　
　上記補正は、本件補正前の請求項１に係る発明を特定するために必要な事項である「メインボード」について、「
前記キーボードモジュールと
及び前記パームレスト部の下部に位置し前記キーボードモジュールと重なっていない部分からなり、その重なっていない
　
　そこで、本件補正後の上記請求項１に係る発明（以下、「本願補正発明」という。）が特許出願の際独立して特許を受けることができるものであるか（特許法第１７条の２第５項において準用する同法第１２６条第５項の規定に適合するか）について以下に検討する。
　
（２）刊行物の記載
　
　原査定の拒絶の理由に引用された登録実用新案第３０２５４１６号公報（平成８年６月２１日発行。以下、「刊行物１」という。）には、図面と共に以下の事項が記載されている。
　
「【請求項１】  コンピュータハウジングと、
上記ハウジング内のキーボード組立体と、
上記キーボード組立体の真下に配置されたマザーボードとを備え、上記キーボード組立体及びマザーボードは、包囲体内の領域を画成し、
更に、上記領域と隣接同一平面関係で配置された包囲体内のハードディスクドライブと、
コンピュータに電力を供給するためにコンピュータハウジングの外部に取り付けられたバッテリハウジングとを備えたことを特徴とするコンピュータ。
【請求項２】  上記領域と隣接同一平面関係で配置された包囲体内のプラグ・コンパチブル・メインフレーム・コンピュータ・インターコネクト・アダプタ（ＰＣＭＣＩＡ）スロットを更に備えた請求項１に記載のコンピュータ。
【請求項３】  上記領域と隣接同一平面関係で配置された包囲体内のトラックボール組立体を更に備えた請求項２に記載のコンピュータ。
【請求項４】  上記領域と隣接同一平面関係で配置された包囲体内のＤＣ／ＤＣコンバータを更に備えた請求項３に記載のコンピュータ。
【請求項５】  上記ハードディスクドライブ、ＰＣＭＣＩＡスロット、トラックボール組立体及びＤＣ／ＤＣコンバータは、上記領域の前方の位置に配置される請求項４に記載のコンピュータ。
【請求項６】  上記バッテリハウジングは、上記コンピュータハウジングの後面に可動に取り付けられる請求項５に記載のコンピュータ。」
　
「【０００４】
　課題を解決するための手段】
　本考案によれば、コンピュータハウジングと、該ハウジング内のキーボード組立体とを有するコンピュータが提供される。マザーボードは、キーボード組立体の真下に配置され、従って、キーボード組立体とマザーボードは、包囲体内の領域を画成する。コンピュータを形成する他の要素は、この領域と隣接同一平面関係で配置され、そしてバッテリハウジングは、コンピュータに電力を供給するようにコンピュータハウジングの外部に取り付けられる。これにより、著しく薄いポータブルコンピュータが提供される。
【０００５】
　より詳細には、ハードディスクドライブ、ＰＣＭＣＩＡオプションスロット、トラックボール組立体、及びＤＣ／ＤＣコンバータは、全て、この領域の前方の位置に、この領域と隣接同一平面関係で配置される。バッテリハウジングは、コンピュータに電力を供給するようにコンピュータハウジングの後面に可動に取り付けられる。本考案によれば、厚さが１インチのみであり、従って、現在入手できるポータブルノートブックコンピュータよりも少なくとも５０％も薄いポータブルノートブックコンピュータが提供される。」
　
「【００２６】
　本考案の更に別の特徴によれば、コンピュータハウジング１２の外部にバッテリハウジング３０を配置することに組み合わせて、コンピュータハウジング１２内に電子部品１４を特定にレイアウトして、非常に薄型のノートブックコンピュータ１０が形成される。図１４ないし１７の組立図を参照すれば、コンピュータハウジング１２内には、一般的に長方形のキーボード組立体１０６が配置され、該組立体は、キーボード１６及びキーボードベースプレート１０８を含む。部品チップ１１２が取り付けられた一般的に長方形のＣＰＵマザーボード１１０は、キーボード組立体１０６の真下に配置される。図示されたように、ＣＰＵマザーボード１１０は、キーボード組立体１０６と一般的にほぼ同じ寸法であり、従って、キーボード組立体１０６及びマザーボード１１０は、包囲体内に領域「Ａ」を画成する。コンピュータハウジング１２内の他の部品１４は、この領域と隣接同一平面関係に配置される。
【００２７】
　特に、領域「Ａ」に隣接し且つそれと一般に同一平面に配置されるのは、ＤＣ／ＤＣコンバータ１１４、ハードディスクドライブ１１６、トラックボール１８を含むトラックボール組立体１１８、及びＰＣＭＣＩＡオプションスロット１２０である。この構成によれば、ＤＣ／ＤＣコンバータ１１４、ハードディスクドライブ１１６、トラックボール組立体１１８、ＰＣＭＣＩＡオプションスロット１２０及びバッテリハウジング３０は、全て、互いに且つ領域「Ａ」と隣接しそしてそれと一般に同一平面であり、領域「Ａ」にはキーボード組立体１０６及びマザーボード１１０が存在し、従って、ハードディスクドライブ１０２、ＰＣＭＣＩＡ１０８又はバッテリ５４の少なくとも１つがキーボードの下に存在した公知構成により形成されるものよりも実質的に薄型のコンピュータ１０が形成される。」
　
　図１、図１５及び図１７には、マザーボード１１０と、ハードディスクドライブ１１６と、ＤＣ／ＤＣコンバータ１１４を平面的に重ならないように配置し、ハードディスクドライブ１１６とＤＣ／ＤＣコンバータ１１４を、キーボード組立体１０６の下部には配置せず、キーボード組立体１０６外の手前側に位置するハウジング１２の上面２６のトラックボール１８近傍部の下部に配置すること、バッテリ３０をハウジング１２外に設けること、及び、マザーボード１１０はキーボード組立体１０６と重なっている部分からなることが開示されている。
　
　以上の記載によれば、刊行物１には、次の発明（以下、「刊行物１記載発明」という。）が記載されている。
　
「コンピュータのハウジング１２内に、マザーボード１１０と、ＤＣ／ＤＣコンバータ１１４と、バッテリ３２と、ハードディスクドライブ１１６とを具備し、かつ、前記マザーボード１１０の真上に位置するキーボード組立体１０６と、該キーボード組立体１０６外の手前側に位置するハウジング１２の上面２６にトラックボール１８近傍部を有し、
　コンピュータのハウジング１２外部に、バッテリ３０を取り付け、
　薄型のコンピュータを形成するために、
　前記マザーボード１１０と、前記ＤＣ／ＤＣコンバータ１１４と、前記ハードディスクドライブ１１６を平面的に重ならないように配置し、かつ、前記ハードディスクドライブ１１６を該キーボード組立体１０６の下部には配置せず、前記ハードディスクドライブ１１６を前記トラックボール１８近傍部の下部に配置し、
　前記マザーボード１１０は、
　前記キーボード組立体１０６と重なっている部分からなるコンピュータ。」
　
　同じく原査定の拒絶の理由に引用された特開平８−１８５２４１号公報（平成８年７月１６日出願公開。以下、「刊行物２」という。）には、図面と共に以下の事項が記載されている。
　
「【００４９】図１は、Ａ４サイズのブック形のポータブルコンピュータ１を示している。このコンピュータ１は、電子機器本体としてのベースユニット２と、このベースユニット２に支持されたディスプレイユニット３とを備えている。
【００５０】ベースユニット２は、四角形箱状をなす筐体４を備えている。この筐体４は、互いに対向し合う底面５ａと上面５ｂ、これら底面５ａ、上面５ｂに連なる前面５ｃと後面５ｄおよび左右の側面５ｅ，５ｆを有する偏平な四角形箱状をなしている。
【００５１】筐体４は、底面５ａを有するロアハウジング７と、上面５ｂを有するアッパハウジング８とに分割されている。これらロアハウジング７およびアッパハウジング８は、ＡＢＳ樹脂のような合成樹脂材料にて構成されている。
【００５２】図４や図１０に示すように、ロアハウジング７の内部には、回路基板１０が収容されている。回路基板１０は、ロアハウジング７の底面５ａ上の複数のボス部１１にねじ１２を介して固定されており、この底面５ａと平行に配置されている。回路基板１０は、底面５ａと略同じ大きさを有する四角形状をなしており、その前後左右の周縁部が、ロアハウジング７の前面５ｃ、後面５ｄおよび左右の側面５ｅ，５ｆに隣接されている。そして、回路基板１０の上面および下面には、ＬＳＩパッケージのような各種の回路部品１３が実装されている。」
　
「【００６１】図２や図４に示すように、ロアハウジング７は、その前端部にバッテリ収容部４０を備えている。バッテリ収容部４０は、ハードディスク駆動装置１５の左側方であり、かつＣＤ−ＲＯＭ駆動装置１６の前方に位置されており、上記ロアハウジング７の上方に向けて開放された凹所にて構成されている。そして、バッテリ収容部４０の底部には、金属製のシールド板４１が配置されており、このシールド板４１は、上記回路基板１０の前半部上面を覆い隠している。
【００６２】図８に示すように、バッテリ収容部４０とハードディスク駆動装置１５との間には、合成樹脂製のバッテリホルダ４２が配置されている。このバッテリホルダ４２のバッテリ収容部４０に臨む面には、バッテリコネクタ４４が配置されている。このバッテリコネクタ４４は、回路基板１０の上面に実装されている。
【００６３】バッテリ収容部４０には、バッテリパック４６が取り出し可能に収容されている。バッテリパック４６は、商用交流電源を得られない場所でコンピュータ１を使用する場合に、その駆動用電源となるもので、ロアハウジング７の上方からバッテリ収容部４０に出し入れされるようになっている。そして、バッテリパック４６をバッテリ収容部４０に収容すると、このバッテリパック４６の正負の端子（図示せず）がバッテリコネクタ４４に接するようになっている。このため、本実施例のコンピュータ１では、ロハウジング７の前半部にハードディスク駆動装置１５とバッテリパック４６とが左右に並べて配置されている。」
　
　図１、２、８には、筐体４内部にバッテリパック４６を具備し、かつバッテリパック４６をキーボードパネル１１８の下部には配置せず、アームレスト９１の下部に配置することが開示されている。
　
　図３９には、回路基板１０は、キーボードパネル１１８と重なっている部分及びアームレストの下部に位置し、キーボードパネル１１８と重なっていない部分とからなること、及び、回路基板１０のキーボードパネルと重なっていない部分に高さの高いコネクタ４４を設けることが開示されている。
　
　以上の記載によれば、刊行物２には、次の事項（以下、「刊行物２記載の事項Ａ」、「刊行物２記載の事項Ｂ」という。）が記載されている。
　
「刊行物２記載の事項Ａ」　
「ポータブルコンピュータ１の筐体４（情報機器の本体）内部にバッテリパック４６（バッテリ）を具備し、かつバッテリパック４６（バッテリ）をキーボードパネル１１８（キーボードモジュール）の下部には配置せず、アームレスト９１（パームレスト部）の下部に配置すること、及び、
　回路基板１０（メインボード）は、キーボードパネル１１８（キーボードモジュール）と重なっている部分及びアームレスト９１（パームレスト部）の下部に位置し、キーボードパネル１１８（キーボードモジュール）と重なっていない部分とからなること。」
　
「刊行物２記載の事項Ｂ」　
「ポータブルコンピュータ１において、回路基板１０のキーボードパネルと重なっていない部分に高さの高いコネクタ４４を設けること。」
　
　そして、特開平５−１９８９４号公報（平成５年１月２９日出願公開。以下、「周知刊行物１」という。）には、図面と共に以下の事項が記載されている。
　
「【産業上の利用分野】本発明はノート形の日本語ワードプロセッサやパーソナルコンピュータのような情報処理装置に係り、特に本体の薄形，軽量化を計ると共に可搬性の良い改良された情報処理装置に関するものである。」（第２頁第２欄第１４乃至１７行の記載。）
　
「一方、文字や数字等を入力するキーボード１、および機能キー８の下部には、図２，図３，図４に示す如く、装置全体を制御するための制御基板９が配置され、キーボード１の下部には比較的実装部品高さｈの低いもので構成される制御回路部１０が構成されている。キーボード１の後部には比較的実装部品高さＨの高いものが必要な電源回路部１１とし、一枚基板上に制御回路部１０と電源回路部１１を構成するようにしたものである。」（第３頁第３欄第２２乃至２９行の記載。）　
　
　さらに、特開平３−７１２１６号公報（平成３年３月２７日出願公開。以下、「周知刊行物２」という。）には、図面と共に以下の事項が記載されている。
　
「本体部２には、キーボード７、３．５インチＣＤ　ＲＯＭドライブ、３．５インチフロッピディスクドライブおよび電源部２３が設けられている。さらにその内部には、ハードディスクドライブ２２およびマザーボード２４等が設置され、マザーボード２４上にはＣＰＵ、メモリ、ＦＡＸアダプタ、通信用モデム２１等が設けられている。」（第３頁右上欄第３乃至９行の記載。）
　
　第３図は、携帯型電子計算機の断面図であって、マザーボード２４は、キーボードと重なっている部分と重なっていない部分からなり、キーボードと重なっていない部分に高さの高い通信用モデムを有することが開示されている。
　
　以上の刊行物２記載の事項Ｂ、周知刊行物１及び周知刊行物２の記載から、以下の事項が、本願出願前に周知（以下、「周知技術」という。）であったと認められる。
　
「情報機器（ポータブルコンピュータ、情報処理装置、携帯型電子計算機）において、メインボード（回路基板、制御基板、マザーボード）のキーボードと重なっていない部分に高さの高い部品を設けること。」
　
（３）対比
　本願補正発明と刊行物１記載発明とを対比すると、刊行物１記載発明の「コンピュータ」、「ハウジング１２」、「マザーボード１１０」、「キーボード組立体１０６」は、本願補正発明の「情報機器」、「本体」、「メインボード」、「キーボードモジュール」に、それぞれ相当する。
　また、刊行物１記載発明の「ＤＣ／ＤＣコンバータ１１４」は、電圧を変換するものであり、一般に、電圧を変換する電気回路素子はボードに実装されるものであるから、本願補正発明の「電源ボード」に相当することは明らかである。
　さらに、刊行物１記載発明において「キーボード組立体１０６外の手前側に位置するハウジング１２の上面２６のトラックボール１８近傍部」に、手のひらを置いてキーボードやトラックボールを操作することは明らかであるから、前記「キーボード組立体１０６外の手前側に位置するハウジング１２の上面２６のトラックボール１８近傍部」は、本願補正発明の「キーボードモジュール外に位置するパームレスト部」に相当する。
　
　したがって、両者の一致点及び相違点は次のとおりである。
　
［一致点］
「情報機器の本体内部にメインボードと、電源ボードと、ハードディスクドライブとを具備し、かつ、前記メインボードの上部に位置するキーボードモジュールと、該キーボードモジュール外に位置するパームレスト部を有し、
　前記メインボードと、前記電源ボードと、前記ハードディスクドライブを平面的に重ならないように配置し、かつ、前記ハードディスクドライブを該キーボードモジュールの下部には配置せず、前記パームレスト部の下部に配置し、
　前記メインボードは、
　前記キーボードモジュールと重なっている部分からなる情報機器。」
　
［相違点］
［相違点１］
　「バッテリ」が、
　本願補正発明では、「情報機器の本体内部に」具備され、「メインボードと、電源ボードと、ハードディスクドライブ」と「平面的に重ならないように配置」して、「キーボードモジュールの下部には配置せず」、「パームレスト部の下部に配置し」ているのに対して、
　刊行物１記載発明では、「コンピュータのハウジング１２外部に」取り付けられている点。
　
［相違点２］
　「メインボード」が、
　本願補正発明では、「キーボードモジュールと重なっている部分及びパームレスト部の下部に位置しキーボードモジュールと重なっていない部分からなり、その重なっていない部分に上向きのコネクタを有する」のに対して、
　刊行物１記載発明では、単に「キーボードモジュールと重なっている部分」からなっている点。
　
（４）判断
　上記相違点について検討する。
　［相違点１、２］
　バッテリを「情報機器の本体内部に具備し、かつ、キーボードモジュールの下部には配置せず、パームレスト部の下部に配置すること」及び、メインボードは、キーボードモジュールと重なっている部分及び「パームレスト部の下部に位置しキーボードモジュールと重なっていない部分とからなる」ことは、刊行物２記載の事項Ａのように公知であるから、刊行物１記載発明に、情報機器という刊行物１記載発明と同一の技術分野に属する刊行物２記載の事項Ａを適用し、バッテリを、情報機器の本体内部に具備し、かつ、キーボードモジュールの下部には配置せず、パームレスト部の下部に配置し、メインボードを、キーボードモジュールと重なっている部分及びパームレスト部の下部に位置しキーボードモジュールと重なっていない部分とからなるものとすることは、当業者であれば適宜なし得た設計事項である。
　
　そして、このとき「薄型のコンピュータを形成するために、メインボードと、電源ボードと、ハードディスクドライブを平面的に重ならないように配置し」た刊行物１記載発明において、バッテリを、メインボードと、電源ボードと、ハードディスクドライブと平面的に重ならないように配置することも当業者であれば適宜なし得た設計事項である。
　また、「情報機器において、メインボードのキーボードと重なっていない部分に高さの高い部品を設けること。」は、刊行物２及び周知刊行物１、２に記載のように周知技術であるから、高さの高い部品として一般的に知られている上向きコネクタを、メインボードの「パームレスト部の下部に位置しキーボードモジュールと重なっていない部分」に設けることは、当業者であれば適宜なし得た設計事項である。
　
　そして、本願補正発明の構成によって奏される効果も、刊行物１記載発明、刊行物２に記載の事項Ａ及び周知技術からみて格別のものではない。
　
　したがって、本願補正発明は、刊行物１記載発明、刊行物２に記載の事項Ａ及び周知技術に基づいて、当業者が容易に発明をすることができたものであるから、特許法第２９条第２項の規定により、特許出願の際独立して特許を受けることができない。
　
（５）むすび
　以上のとおり、本件補正は、特許法第１７条の２第５項において準用する同法第１２６条第５項の規定に違反するので、特許法第１５９条第１項の規定において読み替えて準用する同法第５３条第１項の規定により却下すべきものである。
　
ＩＩＩ．本願発明について
　
（１）本願発明
　平成１７年１１月７日付けの手続補正は上記のとおり却下されたので、本件出願の請求項１に係る発明は、平成１７年８月１５日付けの手続補正書の特許請求の範囲の請求項１に記載された事項により特定される、以下のとおりのものである。（以下、「本願発明」という。）
　
「【請求項１】　情報機器の本体内部に少なくともメインボードと、電源ボードと、バッテリと、ハードディスクドライブとを具備し、かつ、前記メインボードの上部に位置するキーボードモジュールと、該キーボードモジュール外に位置するパームレスト部を有し、
　前記メインボードと、前記電源ボードと、前記バッテリと、前記ハードディスクドライブを平面的に重ならないように配置し、かつ、前記バッテリ及び前記ハードディスクドライブを該キーボードモジュールの下部には配置せず、これらを前記パームレスト部の下部に配置し、
　前記メインボードは、
　前記メインボードと前記キーボードモジュールとの重なっている部分以外の前記メインボードの部分に上向きのコネクタを有することを特徴とする情報機器。」
　
（２）刊行物の記載
   刊行物の記載については、前記「ＩＩ．（２）」で述べたとおりである。
　
（３）対比
　本願発明は、前記「ＩＩ．」で検討した本願補正発明の「メインボード」の限定事項である「
キーボードモジュールと
及び前記パームレスト部の下部に位置し前記キーボードモジュールと重なっていない部分からなり、その重なっていない
　
　そうすると、本願発明の構成要件をすべて含み、さらに他の構成要件を付加したものに相当する本願補正発明が、前記「ＩＩ．（４）」に記載したとおり、刊行物１記載発明、刊行物２に記載の事項Ａ及び周知技術に基づいて、当業者が容易に発明をすることができたものであるから、本願発明も、同様の理由により、刊行物１記載発明、刊行物２に記載の事項Ａ及び周知技術に基づいて、当業者が容易に発明をすることができたものである。
　
ＩＶ．むすび
　以上のとおり、本願発明は、刊行物１記載発明、刊行物２に記載の事項Ａ及び周知技術に基づいて、当業者が容易に発明をすることができたものであるから、特許法第２９条第２項の規定により特許を受けることができない。
　
　よって、結論のとおり審決する。